(57)【要約】  ユーザ装置は、基地局装置からランダムアクセス手順の実行を指示されるユーザ装置であって、同期ブロックに関連付けられる使用可能なランダムアクセスチャネル送信機会を指定する情報を前記基地局装置から受信する受信部と、前記情報に基づいて、使用可能なランダムアクセスチャネル送信機会を特定する制御部と、特定された前記ランダムアクセスチャネル送信機会を使用して、ランダムアクセスプリアンブルを送信する送信部とを有する。
2019167842.tif 000002
【特許請求の範囲】
【請求項１】
基地局装置からランダムアクセス手順の実行を指示されるユーザ装置であって、
同期ブロックに関連付けられる使用可能なランダムアクセスチャネル送信機会を指定する情報を前記基地局装置から受信する受信部と、
前記情報に基づいて、使用可能なランダムアクセスチャネル送信機会を特定する制御部と、
特定された前記ランダムアクセスチャネル送信機会を使用して、ランダムアクセスプリアンブルを送信する送信部とを有するユーザ装置。
【請求項２】
前記使用可能なランダムアクセスチャネル送信機会は、ある同期ブロックに関連付けられるランダムアクセスチャネル送信機会の時間領域における周期ごとに、複数のランダムアクセスチャネル送信機会を含む請求項１記載のユーザ装置。
【請求項３】
前記使用可能なランダムアクセスチャネル送信機会は、すべての同期ブロックそれぞれにおいて関連付けられるランダムアクセスチャネル送信機会に共通のインデックスが付与される請求項１記載のユーザ装置。
【請求項４】
ユーザ装置にランダムアクセス手順の実行を指示する基地局装置であって、
同期ブロックに関連付けられる使用可能なランダムアクセスチャネル送信機会を指定する情報を前記ユーザ装置に送信する送信部と、
前記情報に基づいて、使用可能なランダムアクセスチャネル送信機会を特定する処理部と、
特定された前記ランダムアクセスチャネル送信機会を使用して、ランダムアクセスプリアンブルを受信する受信部とを有する基地局装置。
【発明の詳細な説明】
【技術分野】
【０００１】
本発明は、無線通信システムにおけるユーザ装置及び基地局装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「５Ｇ」あるいは「ＮＲ」という。）の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Long Term Evolution）と同様に、衝突型ランダムアクセス（ＣＢＲＡ：Contention based Random Access）及び非衝突型ランダムアクセス（ＣＦＲＡ：Contention Free Random Access）の２種類のランダムアクセスが規定されている（例えば非特許文献２）。
【先行技術文献】
【非特許文献】
【０００５】
【非特許文献１】３ＧＰＰ  ＴＳ  ３８．２１３  Ｖ１５．０．０（２０１７−１２）
【非特許文献２】３ＧＰＰ  ＴＳ  ３８．３２１  Ｖ１５．０．０（２０１７−１２）
【発明の概要】
【発明が解決しようとする課題】
【０００６】
ＮＲにおいて、初期アクセスに必要な同期信号及びシステム情報の一部は、連続したＯＦＤＭ（Orthogonal Frequency Division Multiplexing）シンボルから構成されるＳＳＢ（Synchronization Signal Block）と呼ばれるリソースユニットで、無線フレームにマッピングされる。ユーザ装置は、基地局装置から送信されるＳＳＢを受信して初期アクセスに必要な情報を取得する。初期アクセスに必要な情報には、ＰＲＡＣＨ（Physical Random Access Channel）リソース及びプリアンブル信号形式を特定する情報が含まれる。【０００７】
ＮＲにおいては、基地局装置からトリガされる非衝突型ランダムアクセスに使用されるＰＲＡＣＨリソースを各ユーザ装置に対して個別に確保し、ユーザ装置間のＰＲＡＣＨリソースの衝突を回避することができる。また、ＮＲにおいては、ＰＲＡＣＨリソースとＳＳＢとは関連付けられている。【０００８】
しかしながら、ユーザ装置に個別のＰＲＡＣＨリソースを通知する場合、ＮＲにおけるＳＳＢとＰＲＡＣＨリソースとの関連付けが考慮されず、適切なＰＲＡＣＨリソースがユーザ装置に使用されないことがあった。【０００９】
本発明は上記の点に鑑みてなされたものであり、ＮＲにおけるランダムアクセス手順において、適切なＰＲＡＣＨリソースをユーザ装置が使用することを目的とする。
【課題を解決するための手段】
【００１０】
開示の技術によれば、基地局装置からランダムアクセス手順の実行を指示されるユーザ装置であって、ランダムアクセスチャネル送信機会の候補のうち、使用可能なランダムアクセスチャネル送信機会を指定する情報を前記基地局装置から受信する受信部と、前記情報に基づいて、使用可能なランダムアクセスチャネル送信機会を特定する制御部と、特定された前記ランダムアクセスチャネル送信機会を使用して、ランダムアクセスプリアンブルを送信する送信部とを有するユーザ装置が提供される。
【発明の効果】
【００１１】
開示の技術によれば、ＮＲにおけるランダムアクセス手順において、適切なＰＲＡＣＨリソースをユーザ装置が使用することができる。
【図面の簡単な説明】
【００１２】
【図１】本発明の実施の形態における無線通信システムの構成例を示す図である。
【図２】時間領域におけるＲＡＣＨリソース指定の例を示す図である。
【図３】本発明の実施の形態におけるランダムアクセス手順の例を説明するためのシーケンス図である。
【図４】本発明の実施の形態におけるランダムアクセス手順の例を説明するためのフローチャートである。
【図５】本発明の実施の形態における時間領域の無線フレームの例を示す図である。
【図６】本発明の実施の形態における周波数領域のインデックスの例（１）を示す図である。
【図７】本発明の実施の形態における周波数領域のインデックスの例（２）を示す図である。
【図８】本発明の実施の形態における周波数領域のインデックスの例（３）を示す図である。
【図９】本発明の実施の形態における周波数領域のインデックスの例（４）を示す図である。
【図１０】本発明の実施の形態における周波数領域のインデックスの例（５）を示す図である。
【図１１】本発明の実施の形態におけるＰＲＡＣＨマスクの例（１）を示す図である。
【図１２】本発明の実施の形態におけるＰＲＡＣＨマスクの例（２）を示す図である。
【図１３】本発明の実施の形態におけるＰＲＡＣＨマスクの例（３）を示す図である。
【図１４】本発明の実施の形態における基地局装置１００の機能構成の一例を示す図である。
【図１５】本発明の実施の形態におけるユーザ装置２００の機能構成の一例を示す図である。
【図１６】本発明の実施の形態における基地局装置１００又はユーザ装置２００のハードウェア構成の一例を示す図である。
【発明を実施するための形態】
【００１３】
以下、図面を参照して本発明の実施の形態を説明する。なお、以下で説明する実施の形態は一例であり、本発明が適用される実施の形態は、以下の実施の形態に限られない。
【００１４】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１５】
また、以下で説明する本発明の実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）等の用語を使用している。これは記載の便宜上のためであり、これらと同様の信号、機能等が他の名称で呼ばれてもよい。
【００１６】
また、本発明の実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することであってもよい。また、送信ビームを用いて信号を送信することは、特定のアンテナポートで信号を送信することであってもよい。同様に、受信ビームを用いて信号を受信することは、特定のアンテナポートで信号を受信することであってもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００又はユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００１７】
図１は、本発明の実施の形態における通信システムを説明するための図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１８】
基地局装置１００は、１つ以上のセルを提供し、ユーザ装置２００と無線通信を行う通信装置である。図１に示されるように、基地局装置１００は、非衝突型ランダムアクセスの指示をユーザ装置２００に送信する。また、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨを介して送信される。また、システム情報は、報知情報ともいう。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＣＣＨ（Physical downlink control channel）によってスケジューリングされたＮＲ−ＰＤＳＣＨ（Physical downlink shared channel）によるシステム情報であるＲＭＳＩ（Remaining minimum system information）に基づいて行われる。ＲＭＳＩは、例えば、ＲＡＣＨ設定等の初期アクセスに必要な情報を含む。
【００１９】
図２は、時間領域又は周波数領域におけるＲＡＣＨリソース指定の例を示す図である。図２において、時間領域又は周波数領域におけるＲＡＣＨリソースを指定する「ＰＲＡＣＨ  Ｍａｓｋ  Ｉｎｄｅｘ」の例を示す。「ＰＲＡＣＨ  Ｍａｓｋ  Ｉｎｄｅｘ」は、ＲＡＣＨ  ｃｏｎｆｉｇｕｒａｔｉｏｎ  ｉｎｄｅｘによって指定されるＲＡＣＨリソースのうち、いずれの時間領域又は周波数領域のＲＡＣＨリソースが利用可能であるかユーザ装置２００に通知するための情報である。
【００２０】
図２に示される例のＦＤＤのＰＲＡＣＨにおいては、ＰＲＡＣＨ  Ｒｅｓｏｕｒｃｅ  Ｉｎｄｅｘ  ０からＰＲＡＣＨ  Ｒｅｓｏｕｒｃｅ  Ｉｎｄｅｘ  ９までの１０通りと、サブフレームの最初のＰＲＡＣＨからカウントしてＰＲＡＣＨ送信機会の偶数番目と、サブフレームの最初のＰＲＡＣＨからカウントしてＰＲＡＣＨ送信機会の奇数番目とが設定可能である。
【００２１】
図２に示される例のＴＤＤのＰＲＡＣＨにおいては、ＰＲＡＣＨ  Ｒｅｓｏｕｒｃｅ  Ｉｎｄｅｘ  ０からＰＲＡＣＨ  Ｒｅｓｏｕｒｃｅ  Ｉｎｄｅｘ  ５までの６通りと、サブフレームの最初のＰＲＡＣＨからカウントしてＰＲＡＣＨ送信機会の偶数番目と、サブフレームの最初のＰＲＡＣＨからカウントしてＰＲＡＣＨ送信機会の奇数番目と、サブフレームの最初のＰＲＡＣＨ  Ｒｅｓｏｕｒｃｅ  Ｉｎｄｅｘと、サブフレームの２番目のＰＲＡＣＨ  Ｒｅｓｏｕｒｃｅ  Ｉｎｄｅｘと、サブフレームの３番目のＰＲＡＣＨ  Ｒｅｓｏｕｒｃｅ  Ｉｎｄｅｘとが利用可能である。
【００２２】
ＰＲＡＣＨ  Ｍａｓｋ  Ｉｎｄｅｘは、ユーザ装置２００がＰＲＡＣＨ送信に使用するＰＲＡＣＨリソースを時間領域又は周波数領域において制限することで、多数のユーザ装置２００に対して個別のＰＲＡＣＨリソースが確保される場合のＰＲＡＣＨリソースの枯渇を回避することができる。ユーザ装置２００が、いずれの時間領域及び周波数領域のリソースを使用することができるかは、例えば、図３に示されるＰＲＡＣＨ  Ｍａｓｋ  Ｉｎｄｅｘのマッピングテーブルで規定されてもよい。なお、ＮＲにおいては、ランダムアクセス手順を実行するユースケースが、ＬＴＥと比較して増加しており、ＰＲＡＣＨリソースが枯渇するリスクが高まる可能性がある。例えば、ビーム障害からのリカバリ、ユーザ装置２００からの要求に応じてシステム情報が送信されるオンデマンドシステム情報の運用等により、ランダムアクセス手順の実行がトリガされる。
【００２３】
図３は、本発明の実施の形態におけるランダムアクセス手順の例を説明するためのシーケンス図である。ステップＳ１において、ＰＤＣＣＨ  ｏｒｄｅｒ、ＨＯ  ｃｏｍｍａｎｄ（ハンドオーバコマンド）、ＳＣｅｌｌ  ｔｉｍｉｎｇ  ａｌｉｇｎｍｅｎｔ（セカンダリセルタイミング調整）、Ｂｅａｍ  ｆａｉｌｕｒｅ  ｒｅｃｏｖｅｒｙ（ビーム障害からのリカバリ）等によってトリガされる非衝突型ランダムアクセスの実行指示が、基地局装置１００からユーザ装置２００に通知される。ＰＤＣＣＨ  ｏｒｄｅｒは、例えば、接続状態（Connected mode）にあるユーザ装置２００が、ＵＬ（Uplink）同期が外れている可能性がある場合に、同期を回復するためにネットワークからランダムアクセス手順の実行をユーザ装置２００にトリガするものである。ハンドオーバコマンドは、ハンドオーバ時にターゲットセルへのランダムアクセス手順の実行をユーザ装置２００にトリガするものである。セカンダリセルタイミング調整は、セカンダリセルのタイミング調整のためセカンダリセルへのランダムアクセス手順の実行をユーザ装置２００にトリガするものである。ビーム障害からのリカバリを行うため、ランダムアクセス手順の実行をユーザ装置２００にトリガするものである。
【００２４】
また、例えばＬＴＥにおいては、非衝突型ランダムアクセスの実行指示を介して、プリアンブルインデックス（６ｂｉｔ）、図２で説明したＰＲＡＣＨ  Ｍａｓｋ  Ｉｎｄｅｘ（４ｂｉｔ）等のＲＡＣＨリソース及びプリアンブルインデックスを特定する情報が、ＤＣＩ（Downlink Control Information）フォーマット１Ａを用いて、ユーザ装置２００に通知される。上記のＲＡＣＨリソース及びプリアンブルインデックスを特定する情報は、ＲＲＣ（Radio Resource Control）シグナリングによって通知される場合もある。
【００２５】
上記のように指定されたプリアンブルインデックス及びＰＲＡＣＨリソースを用いて、ユーザ装置２００がランダムアクセス手順を実行することによって、非衝突型ランダムアクセスを行うことができる。なお、衝突型ランダムアクセスの場合、所定の範囲のプリアンブルインデックスから、ランダムに使用するプリアンブルが選択される。
【００２６】
ステップＳ２において、ユーザ装置２００は、ステップＳ１で取得したＲＡＣＨリソース及びプリアンブルインデックスを特定する情報に基づいて、ランダムアクセスプリアンブルを基地局装置１００に送信する。
【００２７】
ステップＳ３において、基地局装置１００は、ランダムアクセスレスポンスをユーザ装置２００に送信する。ランダムアクセスレスポンスは、ランダムアクセスプリアンブルに対する応答であり、ＰＤＣＣＨにてＲＡ−ＲＮＴＩ（Random Access - Radio Network Temporary Identifier）宛てに送信され、少なくともランダムアクセスプリアンブルの識別子、タイミングアライメント及び初期上りリンクグラントを含む。非衝突型ランダムアクセスの場合、ステップＳ３でランダムアクセス手順は完了する。
【００２８】
図４は、本発明の実施の形態におけるランダムアクセス手順の例を説明するためのフローチャートである。図５は、ユーザ装置２００における非衝突型ランダムアクセス手順の一例を示す図である。基地局装置１００は、ＰＳＳ、ＳＳＳ及びＰＢＣＨを、ユーザ装置２００に送信する。ＰＢＣＨには、システム情報の一部が含まれる。なお、ランダムアクセス手順開始時に、送信カウンタは「１」が設定される。
【００２９】
ステップＳ１１において、ユーザ装置２００は、基地局装置１００から受信したランダムアクセス手順を実行するためのリソース、すなわち、周波数領域及び時間領域で特定されるＲＡＣＨリソース及びプリアンブルフォーマット等を特定する情報に基づいて、ランダムアクセスに使用するリソースを選択する。続いて、ユーザ装置２００は、選択されたリソースを使用してランダムアクセスプリアンブルを送信する（Ｓ１２）。ランダムアクセスプリアンブルの送信電力設定については後述する。
【００３０】
ステップＳ１３において、ユーザ装置２００は、基地局装置１００からランダムアクセスレスポンスを受信する。ランダムアクセスレスポンスは、ランダムアクセスプリアンブルに対する応答である。ランダムアクセスレスポンスがユーザ装置２００において受信された場合（Ｓ１３のＹＥＳ）、ステップＳ１４に進み、ランダムアクセスレスポンスがユーザ装置２００において受信されなかった場合（Ｓ１３のＮＯ）、ステップＳ１５に進む。
【００３１】
ステップＳ１４において、ユーザ装置２００は、ランダムアクセスが成功したとみなし、ランダムアクセス手順を終了する。
【００３２】
ステップＳ１５において、ユーザ装置２００は、送信カウンタが通知されるか予め規定される上限を超えたか否か判定する。上限を超えている場合（Ｓ１５のＹＥＳ）、ステップＳ１７に進み、上限を超えていない場合（Ｓ１５のＮＯ）、ステップＳ１７に進む。
【００３３】
ステップＳ１６において、ユーザ装置２００は、ランダムアクセスが失敗したとみなし、ランダムアクセス手順を終了する。一方、ステップＳ１７において、ユーザ装置２００は、送信カウンタを１増やして、ランダムアクセスプリアンブルを再送するためにステップＳ１１に戻り、再度ランダムアクセスリソースの選択を行う。
【００３４】
ＬＴＥにおけるＭＡＣ（Medium Access Control）仕様のＰＲＡＣＨ  Ｍａｓｋ  Ｉｎｄｅｘでは、ユーザ装置２００が使用可能であるＰＲＡＣＨの時間領域におけるリソース位置を無線フレームにおけるサブフレーム単位、また、ＴＤＤの場合、周波数領域におけるリソース位置をＰＲＡＣＨ単位で指定することができる。一方、ＮＲにおいては、時間領域又は周波数領域におけるＰＲＡＣＨリソースの配置又は指定が柔軟に行われるため、ＰＲＡＣＨ  Ｍａｓｋ  Ｉｎｄｅｘは、ＮＲにおけるＰＲＡＣＨリソースの配置又は指定に適合する設計が必要である。
【００３５】
ＮＲ−ＰＲＡＣＨの時間領域においては、ＯＦＤＭシンボル単位でＰＲＡＣＨリソースの設定が可能である。ＮＲ−ＰＲＡＣＨの周波数領域においては、ユーザ装置２００間で共通に使用されるＣｏｍｍｏｎＰＲＡＣＨと、ユーザ装置２００ごとに個別に割り当てられるＤｅｄｉｃａｔｅｄＰＲＡＣＨとの指定が可能である。ＬＴＥにおけるＣＦＲＡでは、ユーザ装置２００間で共有されるＰＲＡＣＨから使用するリソースが指定されていた。一方、ＮＲにおけるＣＦＲＡでは、ユーザ装置２００個別に使用されるリソースを指定することが可能である。また、ＮＲにおいては、ＢＷＰ（Bandwidth part）、ＳＵＬ（Supplemental UL）が導入されており、周波数領域のリソースを柔軟に使用することができる。
【００３６】
図５は、本発明の実施の形態における時間領域の無線フレームの例を示す図である。図５に示されるように、ＮＲにおける１０ｍｓの無線フレームは、１ｍｓのサブフレームが１０配置される。スロットは、１４ＯＦＤＭシンボルから構成される。ＯＦＤＭサブキャリア間隔が１５ｋＨｚの場合、１サブフレームに１スロットが配置可能である。ＯＦＤＭサブキャリア間隔が３０ｋＨｚの場合、１サブフレームに２スロットが配置可能である。ＯＦＤＭサブキャリア間隔が６０ｋＨｚの場合、１サブフレームに４スロットが配置可能である。ＯＦＤＭサブキャリア間隔が１２０ｋＨｚの場合、１サブフレームに８スロットが配置可能である。
【００３７】
ＰＲＡＣＨ  Ｍａｓｋ  Ｉｎｄｅｘによって、ユーザ装置２００が使用可能なＰＲＡＣＨリソースとして、サブフレーム番号、スロット番号又はＯＦＤＭシンボル番号が明示的に指定されてもよい。ＯＦＤＭサブキャリア間隔が１２０ｋＨｚの場合、１０ｍｓの無線フレームに、８０スロットすなわち１１２０ＯＦＤＭシンボルが配置されるため、ＯＦＤＭシンボル番号を明示的に指定するために、１１ビットのシグナリングを行ってもよい。ＯＦＤＭシンボル番号ではなく、サブフレーム番号又はスロット番号で使用可能なＰＲＡＣＨリソースが指定されてもよい。
【００３８】
また、ＰＲＡＣＨ  Ｍａｓｋ  Ｉｎｄｅｘによって、ユーザ装置２００が使用可能なＰＲＡＣＨリソースとして、サブフレーム番号、スロット番号及びＯＦＤＭシンボル番号ではなく、予め定められたＰＲＡＣＨ送信機会（ＰＲＡＣＨ  ｏｃｃａｓｉｏｎ）を指定する番号が指定されてもよい。ＰＲＡＣＨ送信機会は予め定められるパターンで特定されるため、ＯＦＤＭシンボル番号を明示的に通知するよりもシグナリング情報を削減することができる。
【００３９】
また、ＰＲＡＣＨ  Ｍａｓｋ  Ｉｎｄｅｘによって、ユーザ装置２００が使用可能なＰＲＡＣＨリソースを、いずれの粒度で指定可能であるかは、ユーザ装置２００のＵＥ能力、通信を行う周波数又はサブキャリア間隔によって異なってもよい。通信を行う周波数とは、バンド又はバンドコンビネーションを含む。例えば、ユーザ装置２００は、ネットワークに対してＵＥ能力の通知を行い、ネットワークは、ＵＥ能力に基づいて、ＰＲＡＣＨ  Ｍａｓｋ  ＩｎｄｅｘがＰＲＡＣＨリソースを指定する粒度を決定してもよい。また、ネットワークは、ＵＥ能力に加えて、ネットワーク能力に基づいて、ＰＲＡＣＨ  Ｍａｓｋ  ＩｎｄｅｘがＰＲＡＣＨリソースを指定する粒度を決定してもよい。例えば、ユーザ装置２００は、ＯＦＤＭシンボル番号によるＰＲＡＣＨリソースの指定に対応している場合であっても、ネットワークが、スロット番号によるＰＲＡＣＨリソースまでしか対応しない場合、ネットワークは、スロット番号によるＰＲＡＣＨリソースの指定が行われることを、ユーザ装置２００に設定又は通知する。スロット番号によるＰＲＡＣＨリソースの指定が行われることが設定又は通知された場合、ユーザ装置２００は、ＯＦＤＭシンボル番号によるＰＲＡＣＨリソースの指定が行われた場合、当該指示を無視してもよい。
【００４０】
また、ＰＲＡＣＨ  Ｍａｓｋ  Ｉｎｄｅｘによって、ユーザ装置２００が使用可能な時間領域におけるＰＲＡＣＨリソースの指定は、複数のサブフレーム、スロット又はＯＦＤＭシンボルに対して行われてもよい。例えば、サブフレーム番号が、「０，２，４，６，８」が通知されてもよい。すなわち、２ｍｓ周期でＰＲＡＣＨリソースが指定される。また、例えば、起点となるサブフレーム、スロット又はＯＦＤＭシンボルと、ＰＲＡＣＨリソースが配置される周期とが明示的に指定されてもよい。例えば、サブフレーム番号に「３」が指定されて、周期「３ｍｓ」が通知されてもよい。サブフレーム番号「３」が起点で、周期が「３ｍｓ」であるため、サブフレーム番号が３、６、９のサブフレームに、ＰＲＡＣＨリソースが配置される。
【００４１】
また、ＰＲＡＣＨ  Ｍａｓｋ  Ｉｎｄｅｘによって、ユーザ装置２００が使用可能な時間領域におけるＰＲＡＣＨリソースの指定は、一部が暗黙的に行われてもよい。サブフレーム番号、スロット番号又はＯＦＤＭシンボル番号のいずれが暗黙的に決定されてもよい。上記のように暗黙的に一部のＰＲＡＣＨリソースが指定される場合、ユーザ装置２００は、予め規定された特定のサブフレーム番号、スロット番号又はＯＦＤＭシンボル番号を想定する。
【００４２】
例えば、時間領域において最初のサブフレーム、スロット又はＯＦＤＭシンボルが暗黙的に指定されてもよいし、特定の番号又は識別子を有するサブフレーム、スロット又はＯＦＤＭシンボルが暗黙的に指定されてもよい。また、例えば、特定の周期Ｘを想定した場合のＹ番目のサブフレーム、スロット又はＯＦＤＭシンボルが暗黙的に指定されてもよい。周期Ｘは、無線フレーム、サブフレーム、スロット又はＯＦＤＭシンボルのいずれで指定されてもよい。Ｙ番目は、奇数番又は偶数番で指定されてもよい。周期Ｘの起点となるサブフレーム、スロット又はＯＦＤＭシンボルは、明示的に指定されてもよいし、ユーザ装置２００が暗黙的に決定してもよい。暗黙的に決定される例として、ランダムアクセス手順がトリガされたタイミング、すなわちＰＤＣＣＨ  ｏｒｄｅｒ等を受信したタイミング、又はランダムアクセス手順がトリガされたタイミング以降の直近に配置されるＰＲＡＣＨリソースのタイミング、又はランダムアクセス手順がトリガされたタイミングから所定の期間後のタイミング、又はランダムアクセス手順がトリガされたタイミングから所定期間後の直近に配置されるＰＲＡＣＨリソースのタイミングでもよい。
【００４３】
また、ＰＲＡＣＨ  Ｍａｓｋ  Ｉｎｄｅｘによって、ユーザ装置２００が使用可能な時間領域におけるＰＲＡＣＨリソースは、ユーザ装置２００がアナログビームフォーミングを送受信に適用している場合、ユーザ装置２００が使用しているＳＳＢに対応するＰＲＡＣＨ配置されるスロット又はＯＦＤＭシンボルに限定されてもよい。ユーザ装置２００が使用しているＳＳＢとは、現在使用しているＳＳＢ又はセルに定義されたＳＳＢでもよいし、ＰＲＡＣＨリソースと共にＳＳＢが指定される場合、指定されたＳＳＢでもよい。
【００４４】
ここで、ユーザ装置２００が使用しているＳＳＢに対応するＰＲＡＣＨリソース以外が指定される場合、ＲＲＣ、ＭＡＣ又はレイヤ１いずれかのレイヤで、ユーザ装置２００が使用しているＳＳＢに対応するＰＲＡＣＨリソース以外が指定されることがネットワークに通知されてもよい。また、当該通知は、専用のｃａｕｓｅが設定されてもよい。
【００４５】
ＰＲＡＣＨ  Ｍａｓｋ  Ｉｎｄｅｘによって、ユーザ装置２００が使用可能な時間領域におけるＰＲＡＣＨリソースが暗黙的に指定された場合に想定するサブフレーム、スロット又はＯＦＤＭシンボルの番号は、ユーザ装置２００ごと又はユーザ装置２００のグループごとに異なっていてもよい。ＰＲＡＣＨ  Ｍａｓｋ  Ｉｎｄｅｘによって、ユーザ装置２００が使用可能な時間領域におけるＰＲＡＣＨリソースが暗黙的に指定された場合に想定するサブフレーム、スロット又はＯＦＤＭシンボルの番号のいずれを用いるかは、ＲＲＣ、ＭＡＣ又はレイヤ１いずれかのレイヤを介してユーザ装置２００にネットワークから通知されてもよいし、予め規定されていてもよい。
【００４６】
上記のＰＲＡＣＨ  Ｍａｓｋ  Ｉｎｄｅｘによって、ユーザ装置２００が使用可能な時間領域におけるＰＲＡＣＨリソースが指定される方法は、ＰＤＣＣＨ  ｏｒｄｅｒ、ハンドオーバコマンド、セカンダリセルタイミング調整又はビーム障害からのリカバリ等の非衝突型ランダムアクセスがトリガされるケースによって異なってもよい。例えば、ハンドオーバコマンド又はビーム障害からのリカバリのように、ユーザ装置２００ごとにＲＲＣシグナリングである程度のビット数を通知可能な場合には、ＰＲＡＣＨ  Ｍａｓｋ  Ｉｎｄｅｘによって、ユーザ装置２００が使用可能な時間領域におけるＰＲＡＣＨリソースが明示的に指定されてもよいし、ＰＤＣＣＨ  ｏｒｄｅｒのように通知されるビット数が相対的に少ない場合、ユーザ装置２００ごとにＲＲＣシグナリングである程度のビット数を通知可能な場合には、ＰＲＡＣＨ  Ｍａｓｋ  Ｉｎｄｅｘによって、ユーザ装置２００が使用可能な時間領域におけるＰＲＡＣＨリソースが暗黙的に指定されてもよい。
【００４７】
また、上記のＰＲＡＣＨ  Ｍａｓｋ  Ｉｎｄｅｘによって、ユーザ装置２００が使用可能な時間領域におけるＰＲＡＣＨリソースが指定される方法は、特定のケースにおいては無視されてもよい。例えば、特定の周波数におけるＰＲＡＣＨリソースが指定された場合、上記の方法によってＰＲＡＣＨリソースは指定されなくてもよい。
【００４８】
図６は、本発明の実施の形態における周波数領域のインデックスの例（１）を示す図である。図６に示されるように、ＰＲＡＣＨ  Ｍａｓｋ  Ｉｎｄｅｘによって、ユーザ装置２００が使用可能な周波数領域におけるＰＲＡＣＨリソースを指定する方法として、Ｃｏｍｍｏｎ  ＰＲＡＣＨ又はＤｅｄｉｃａｔｅｄ  ＰＲＡＣＨに対応するインデックスが通知されてもよい。Ｃｏｍｍｏｎ  ＰＲＡＣＨは、ユーザ装置２００共通に使用されるＰＲＡＣＨリソースが配置される周波数領域を示し、Ｄｅｄｉｃａｔｅｄ  ＰＲＡＣＨは、ユーザ装置２００個別に使用されるＰＲＡＣＨリソースが配置される周波数領域を示す。ただし、Ｄｅｄｉｃａｔｅｄ  ＰＲＡＣＨは、複数のユーザ装置２００によって共有される場合があってもよい。
【００４９】
図６は、Ｃｏｍｍｏｎ  ＰＲＡＣＨ及びＤｅｄｉｃａｔｅｄ  ＰＲＡＣＨに一連のインデックス列０〜７が付与されており、Ｃｏｍｍｏｎ  ＰＲＡＣＨはインデックス０〜４、Ｄｅｄｉｃａｔｅｄ  ＰＲＡＣＨはインデックス５〜７が対応する。当該インデックスを用いて、ＰＲＡＣＨ  Ｍａｓｋ  Ｉｎｄｅｘによって、ユーザ装置２００が使用可能な周波数領域におけるＰＲＡＣＨリソースが指定される。
【００５０】
図７は、本発明の実施の形態における周波数領域のインデックスの例（２）を示す図である。図７は、Ｃｏｍｍｏｎ  ＰＲＡＣＨはインデックス０〜４、Ｄｅｄｉｃａｔｅｄ  ＰＲＡＣＨはインデックス０〜２が割り振られる例である。すなわち、Ｃｏｍｍｏｎ  ＰＲＡＣＨ又はＤｅｄｉｃａｔｅｄ  ＰＲＡＣＨは、別々のインデックス列が付与される。当該インデックスを用いて、ＰＲＡＣＨ  Ｍａｓｋ  Ｉｎｄｅｘによって、ユーザ装置２００が使用可能な周波数領域におけるＰＲＡＣＨリソースが指定される。
【００５１】
図７に示されるインデックスが通知される場合、Ｃｏｍｍｏｎ  ＰＲＡＣＨ又はＤｅｄｉｃａｔｅｄ  ＰＲＡＣＨのいずれが指定されているかを示す情報が、当該インデックスと共に通知される。又は、Ｄｅｄｉｃａｔｅｄ  ＰＲＡＣＨが設定されている場合、Ｃｏｍｍｏｎ  ＰＲＡＣＨが指定されることはないと想定して、Ｄｅｄｉｃａｔｅｄ  ＰＲＡＣＨの領域が指定された場合には、ＰＲＡＣＨ  Ｍａｓｋ  Ｉｎｄｅｘにおける周波数領域が指定される情報が通知された場合でもユーザ装置２００は当該通知の一部又は全部を無視してもよい。
【００５２】
図８は、本発明の実施の形態における周波数領域のインデックスの例（３）を示す図である。図８に示されるように、ＰＲＡＣＨ  Ｍａｓｋ  Ｉｎｄｅｘによって、ユーザ装置２００が使用可能な周波数領域におけるＰＲＡＣＨリソースを指定する方法として、ＢＷＰ番号又はＳＵＬ番号に付与されたインデックスが通知されてもよい。
【００５３】
図８に示されるように、ＢＷＰ及びＳＵＬに一連のインデックス列０〜２３が付与される例である。ＢＷＰ＃０にはインデックス０〜３、ＢＷＰ＃１にはインデックス４〜７、ＢＷＰ＃２にはインデックス８〜１１、ＢＷＰ＃３にはインデックス１２〜１５、ＳＵＬ＃０にはインデックス１６〜１９、ＳＵＬ＃１にはインデックス２０〜２３が付与される。当該インデックスを用いて、ＰＲＡＣＨ  Ｍａｓｋ  Ｉｎｄｅｘによって、ユーザ装置２００が使用可能な周波数領域におけるＰＲＡＣＨリソースが、対応するＢＷＰ又はＳＵＬ上に指定される。すなわち、ユーザ装置２００は、ＰＲＡＣＨリソースが配置されるＢＷＰ又はＳＵＬを特定することができる。なお、図８のＢＷＰ又はＳＵＬへのインデックス付与は例であり、例えば、ＳＵＬに先にインデックス番号が付与されてもよいし、１つのＢＷＰ又はＳＵＬに割り当てられるインデックスの数は４に限られない。また、ＢＷＰ、非ＳＵＬ又はＳＵＬにかかわらず、一連のインデックス列が付与されてもよい。
【００５４】
図９は、本発明の実施の形態における周波数領域のインデックスの例（４）を示す図である。図９に示されるように、ＢＷＰにインデックス列０〜１５、ＳＵＬにインデックス列０〜７が付与される例である。ＢＷＰ＃０にはインデックス０〜３、ＢＷＰ＃１にはインデックス４〜７、ＢＷＰ＃２にはインデックス８〜１１、ＢＷＰ＃３にはインデックス１２〜１５、ＳＵＬ＃０にはインデックス０〜３、ＳＵＬ＃１にはインデックス４〜７が付与される。当該インデックスを用いて、ＰＲＡＣＨ  Ｍａｓｋ  Ｉｎｄｅｘによって、ユーザ装置２００が使用可能な周波数領域におけるＰＲＡＣＨリソースが、対応するＢＷＰ又はＳＵＬ上に指定される。さらに、ＢＷＰ又はＳＵＬのいずれが指定されているかを示す情報が、当該インデックスと共に通知されてもよい。なお、図９のＢＷＰ又はＳＵＬへのインデックス付与は例であり、例えば、インデックス系列長は、ＢＷＰ又はＳＵＬごとに異なっていてもよい。また、ＢＷＰごと、非ＳＵＬごと、ＳＵＬごとにインデックス列が付与されてもよい。
【００５５】
図１０は、本発明の実施の形態における周波数領域のインデックスの例（５）を示す図である。図１０に示されるように、ＢＷＰごとにインデックス列０〜３、ＳＵＬごとにインデックス列０〜３が付与される例である。ＢＷＰ＃０、ＢＷＰ＃１、ＢＷＰ＃２、ＢＷＰ＃３、ＳＵＬ＃０、ＳＵＬ＃１に、共通してインデックス０〜３が付与される。当該インデックスを用いて、ＰＲＡＣＨ  Ｍａｓｋ  Ｉｎｄｅｘによって、ユーザ装置２００が使用可能な周波数領域におけるＰＲＡＣＨリソースが、対応するＢＷＰ又はＳＵＬ上に指定される。なお、図１０のＢＷＰ又はＳＵＬへのインデックス付与は例であり、例えば、インデックス系列長は、ＢＷＰ又はＳＵＬごとに異なっていてもよい。また、ＢＷＰごと、非ＳＵＬごと、ＳＵＬごとにインデックス列が付与されてもよい。
【００５６】
上記のＰＲＡＣＨ  Ｍａｓｋ  Ｉｎｄｅｘによって、ユーザ装置２００が使用可能な時間領域又は周波数領域におけるＰＲＡＣＨリソースが指定される方法は、ＰＤＣＣＨ  ｏｒｄｅｒ、ハンドオーバコマンド、セカンダリセルタイミング調整又はビーム障害からのリカバリ等の非衝突型ランダムアクセスがトリガされるケースによっていずれの方法が使用されるか異なってもよい。
【００５７】
上記のＰＲＡＣＨ  Ｍａｓｋ  Ｉｎｄｅｘによって、ユーザ装置２００が使用可能な時間領域又は周波数領域におけるＰＲＡＣＨリソースが指定される方法は、ユーザ装置２００の状態、すなわちＲＲＣにおけるアイドル、コネクテッド、サスペンドに関わらず、ユーザ装置２００又はユーザ装置２００のグループ個別にＰＲＡＣＨリソースを割り当てることができるケースに適用されてもよい。例えば、アイドル状態であるユーザ装置２００は、ユーザ装置２００の識別子（ＩＭＥＩ又は電話番号等）に基づいて、報知情報を介して個別のＰＲＡＣＨリソースを割り当てられてもよい。
【００５８】
上記のＰＲＡＣＨ  Ｍａｓｋ  Ｉｎｄｅｘによって、ユーザ装置２００が使用可能な時間領域又は周波数領域におけるＰＲＡＣＨリソースの指定について、基地局装置１００が、ユーザ装置２００に対して指定可能であるＰＲＡＣＨリソースが１つしかないケースでは、通知に含まれるＰＲＡＣＨリソースを指定する情報要素が省略されてもよいし、ユーザ装置２００側で無視されてもよいし、ユーザ装置２００側で特定の解釈が行われてもよい。ＰＲＡＣＨリソースが１つしかないケースとは、例えば、Ｄｅｄｉｃａｔｅｄ  ＰＲＡＣＨリソースがユーザ装置２００に割り当てられており、当該ＰＲＡＣＨリソースが一意に決まる場合である。特定の解釈とは、当該情報要素を、「Ａｎｙ」、「Ａｌｌ」、「Ｏｕｔ−ｏｆ−Ｒａｎｇｅ」、「ｉｎｖａｌｉｄ」等に解釈することである。
【００５９】
図１１は、本発明の実施の形態におけるＰＲＡＣＨマスクの例（１）を示す図である。ＳＳＢと、ＰＲＡＣＨリソースとは関連付けられているため、ユーザ装置２００が使用するＰＲＡＣＨリソースを指定するＰＲＡＣＨマスクの設定によっては、図１１に示されるように、使用できるＳＳＢが制限されることがある。使用可能なＰＲＡＣＨリソースに関連付けられたＳＳＢのほうが品質がよいとは限らないため、非衝突型ランダムアクセスがトリガされた場合、より品質の悪いＳＳＢにユーザ装置２００は遷移する可能性がある。
【００６０】
図１１において、ＳＳＢ１からＳＳＢ８までが存在し、各ＳＳＢは、ＰＲＡＣＨリソース関連付けられている。図１１に示されるように、ＰＲＡＣＨマスクがスロット単位でマスキングを行い、ＳＳＢ１、ＳＳＢ２及びＳＳＢ３が関連付けられる各ＰＲＡＣＨリソースと、ＳＳＢ６、ＳＳＢ７及びＳＳＢ８が関連付けられる各ＰＲＡＣＨリソースが使用可能であった場合、ユーザ装置２００は、ＳＳＢ４又はＳＳＢ５に関連付けられるＰＲＡＣＨリソースを使用することができない。すなわち、ＳＳＢ４及びＳＳＢ５が、使用できない。したがって、ＳＳＢ４及びＳＳＢ５の品質が他のＳＳＢよりもよい場合、品質の悪いＳＳＢをユーザ装置２００は使用する。
【００６１】
そこで、ユーザ装置２００が接続できるＳＳＢを可能な限り制限せずに、ＰＲＡＣＨマスクを行う方法が考えられる。例えば、下記の方法を行う。
１）ＰＲＡＣＨマスクの周期を調整する
２）ＳＳＢに関連付けられているＰＲＡＣＨリソースごとにマスキングする
上記１）及び２）の両方が実行されてもよい。ＰＲＡＣＨマスクの対象となるＰＲＡＣＨ送信機会の候補は、予め規定されてもよいし、通知されてもよい。なお、ＰＲＡＣＨリソースとは、ＰＲＡＣＨの時間領域及び周波数領域で特定されるリソースに対応し、ＰＲＡＣＨ送信機会とは、ＰＲＡＣＨの時間領域及び周波数領域と、プリアンブルインデックスとで特定されるリソースに対応する。以下の説明で、「ＰＲＡＣＨリソース」とした記載は、「ＰＲＡＣＨ送信機会」で置換されてもよい。
【００６２】
図１２は、本発明の実施の形態におけるＰＲＡＣＨマスクの例（２）を示す図である。ＳＳＢに関連付けられるＰＲＡＣＨリソースの時間領域における周期は、無線フレーム又はスロットの周期と必ずしも一致しない。そのため、ＳＳＢに関連付けられるＰＲＡＣＨリソースの時間領域における周期で、ＰＲＡＣＨマスクの周期を規定する。
【００６３】
まず、ＳＳＢに関連付けられるＰＲＡＣＨリソースの時間領域における周期を算出する。ユーザ装置２００は、ＰＲＡＣＨＣｏｎｆｉｇＩｎｄｅｘから決定されるＰＲＡＣＨ送信機会と、ＳＳＢとの関連付けから、ＳＳＢに関連付けられるＰＲＡＣＨリソースの時間領域における周期を算出する。ＳＳＢに関連付けられるＰＲＡＣＨリソースの時間領域における周期は、ユーザ装置２００がすべてのＳＳＢを選択可能なように決定されてもよいし、特定のＳＳＢ又は特定のＰＲＡＣＨリソースが選択できるように決定されてもよい。例えば、使用できるＳＳＢの数を制限することで、当該周期を短くしてＰＲＡＣＨリソース待ち遅延を削減することができる。
【００６４】
ここで、ユーザ装置２００は、ＳＳＢに関連付けられるＰＲＡＣＨリソースの時間領域における周期の区間内のＰＲＡＣＨリソースを、１つのＰＲＡＣＨリソースセットとして管理する。
【００６５】
ユーザ装置２００は、所定の期間を、ＳＳＢに関連付けられるＰＲＡＣＨリソースの時間領域における周期で除することにより、いくつのＰＲＡＣＨリソースセットが所定の期間に含まれるかを算出し、時間領域で順にＰＲＡＣＨマスクのインデックスを付与する。所定の期間は、１又は複数の無線フレーム等に対応する期間であってもよい。また、ＳＳＢに関連付けられるＰＲＡＣＨリソースの時間領域における周期は、ネットワークから指定されてもよいし、ＵＥ能力又はネットワーク能力によって変更されてもよい。
【００６６】
ユーザ装置２００は、ＰＲＡＣＨマスクで指定されたＰＲＡＣＨリソースセットを使用することができる。例えば、ＰＲＡＣＨマスクにおいて偶数インデックスが指定された場合、偶数インデックスが付与されたＰＲＡＣＨリソースセットを使用することができる。また、例えば、ＰＲＡＣＨマスクにおいて奇数インデックスが指定された場合、奇数インデックスが付与されたＰＲＡＣＨリソースセットを使用することができる。
【００６７】
なお、ＰＲＡＣＨマスクのインデックスがユーザ装置２００に通知されない場合、暗黙的に特定のＰＲＡＣＨリソースセット又はＰＲＡＣＨリソースが指定されているとユーザ装置２００は見なしてもよいし、すべてのＰＲＡＣＨリソースセットが使用可能であると見なしてもよい。
【００６８】
図１２は、すべてのＳＳＢが選択可能なようにＰＲＡＣＨマスクを設定した例である。１つのＰＲＡＣＨリソースセットには、ＳＳＢ１からＳＳＢ８のようにすべてのＳＳＢに関連付けられるＰＲＡＣＨリソースが含まれる。ＰＲＡＣＨリソースセットに上記のように付与されたインデックスを用いて、ＰＲＡＣＨマスクが指定される。
【００６９】
図１３は、本発明の実施の形態におけるＰＲＡＣＨマスクの例（３）を示す図である。ＳＳＢに関連付けられているＰＲＡＣＨリソースごとにマスキングすることで、ユーザ装置２００は、すべてのＳＳＢにアクセス可能となり、かつ、Ｄｅｄｉｃａｔｅｄ  ＰＲＡＣＨの容量を向上することができる。
【００７０】
ＰＲＡＣＨ送信機会に対するＰＲＡＣＨマスクに使用するインデックス付与方法として、あるＳＳＢに関連付けられているＰＲＡＣＨ送信機会、すなわち、ＰＲＡＣＨの時間領域、ＰＲＡＣＨの周波数領域、プリアンブルインデックスを１つのリソースプールとして、当該リソースプールに含まれるリソースに対してインデックスを付与し、ＳＳＢごとに同様にインデックスを付与する。インデックスの順は、時間領域、周波数領域、プリアンブルインデックスの順でもよいし、他の順でもよい。また、例えば、プリアンブルインデックスにはインデックスが付与されず、時間領域及び周波数領域のみにインデックスが付与されてもよいし、時間領域又は周波数領域のいずれかにインデックスが付与されてもよい。ユーザ装置２００は、上記のインデックスを含むＰＲＡＣＨマスクに基づいて、上記のリソースプールで対応するＰＲＡＣＨ送信機会を特定し、プリアンブル送信に使用する。
【００７１】
上記のリソースプール内のすべてのＰＲＡＣＨ送信機会にインデックスが付与されてもよいし、一部のＰＲＡＣＨ送信機会が、他の用途、例えば衝突型ランダムアクセスに使用されるため、インデックスが付与される対象から除外されてもよい。いずれのＰＲＡＣＨ送信機会が、インデックスが付与される対象から除外されるかは、ネットワークから明示的にユーザ装置２００に通知されてもよいし、暗黙的に決定されてもよい。インデックスが付与される対象から除外されることは、例えば、所定の情報要素に「ｉｎｖａｌｉｄ」、「ｏｕｔ−ｏｆ−ｒａｎｇｅ」の値が設定されることでネットワークから通知されてもよい。
【００７２】
また、例えば、ＳＳＢあたりに関連付けられるプリアンブルインデックスの数が６４までである場合、プリアンブルインデックスの数を２で除した値で、上記のリソースプールに付与されるインデックスの剰余をとった値を用いて、上記のリソースプールに付与されるインデックスを再度規定してもよい。また、例えば、ＳＳＢあたりに関連付けられるプリアンブルインデックスの数が６４を超える場合、６４で、上記のリソースプールに付与されるインデックスの剰余をとった値を用いて、上記のリソースプールに付与されるインデックスを再度規定してもよい。上記の値「６４」は、セルごと、ビームごと、ＳＳＢごと、ユーザ装置２００ごと、周波数ごと、ＳＵＬ又はｎｏｎ−ＳＵＬごとに変更されてもよいし、ネットワークの能力又は設定情報によって変更されてもよい。
【００７３】
なお、ＰＲＡＣＨマスクのインデックスがユーザ装置２００に通知されない場合、暗黙的に特定のリソースプールのインデックスが指定されているとユーザ装置２００は見なしてもよいし、すべてのリソースプールが使用可能であると見なしてもよい。
【００７４】
図１３に示されるように、ＳＳＢ１に関連づけられるＰＲＡＣＨ送信機会にインデックスを例えば、＃０から＃ｎ＋１まで付与する。また、ＳＳＢ２に関連づけられるＰＲＡＣＨ送信機会にインデックスを例えば、＃０から＃ｎ＋１まで付与する。図示されていないが、同様に、ＳＳＢ３からＳＳＢ８まで、それぞれのＳＳＢに関連付けられるＰＲＡＣＨ送信機会に＃０から＃ｎ＋１までインデックスを付与する。例えば、ＰＲＡＣＨマスクによってインデックス＃０が指定された場合、ＳＳＢ１に関連付けられるリソースプールから＃０が付与されたＰＲＡＣＨ送信機会、ＳＳＢ２に関連付けられるリソースプールから＃０が付与されたＰＲＡＣＨ送信機会、ＳＳＢ３に関連付けられるリソースプールから＃０が付与されたＰＲＡＣＨ送信機会、ＳＳＢ４に関連付けられるリソースプールから＃０が付与されたＰＲＡＣＨ送信機会、ＳＳＢ５に関連付けられるリソースプールから＃０が付与されたＰＲＡＣＨ送信機会、ＳＳＢ６に関連付けられるリソースプールから＃０が付与されたＰＲＡＣＨ送信機会、ＳＳＢ７に関連付けられるリソースプールから＃０が付与されたＰＲＡＣＨ送信機会及びＳＳＢ８に関連付けられるリソースプールから＃０が付与されたＰＲＡＣＨ送信機会が、ユーザ装置２００が使用可能なＰＲＡＣＨ送信機会である。上記のようなＰＲＡＣＨマスクのインデックスを使用することで、ユーザ装置２００は、すべてのＳＳＢを使用することができる。
【００７５】
上述の実施例により、ユーザ装置２００は、使用できるＳＳＢをできるだけ制限せずに、ＰＲＡＣＨマスクから特定されるＰＲＡＣＨ送信機会を使用して、非衝突型ランダムアクセス手順を実行することができる。
【００７６】
すなわち、ＮＲにおけるランダムアクセス手順で使用されるＲＡＣＨリソースをユーザ装置に適切に通知することができる。
【００７７】
（装置構成）
次に、これまでに説明した処理及び動作を実行する基地局装置１００及びユーザ装置２００の機能構成例を説明する。基地局装置１００及びユーザ装置２００は上述した実施例を実施する機能を含む。ただし、基地局装置１００及びユーザ装置２００はそれぞれ、実施例の中の一部の機能のみを備えることとしてもよい。
【００７８】
＜基地局装置１００＞
図１４は、基地局装置１００の機能構成の一例を示す図である。図１４に示されるように、基地局装置１００は、送信部１１０と、受信部１２０と、設定情報管理部１３０と、初期アクセス設定部１４０とを有する。図１４に示される機能構成は一例に過ぎない。本発明の実施の形態に係る動作を実行できるのであれば、機能区分及び機能部の名称はどのようなものでもよい。
【００７９】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。また、例えば、送信部１１０は、ユーザ装置２００に初期アクセスに使用される情報を含む報知情報又はＵＬスケジューリングを送信し、受信部１２０は、ユーザ装置２００からＲＡＣＨプリアンブルを受信する機能を有する。
【００８０】
設定情報管理部１３０は、予め設定される設定情報、及び、ユーザ装置２００に送信する各種の設定情報を格納する。設定情報の内容は、例えば、初期アクセスの送受信パラメータに係る情報等である。
【００８１】
初期アクセス設定部１４０は、実施例において説明したように、ユーザ装置２００に初期アクセスに使用される情報を通知し、ユーザ装置２００から送信されるランダムアクセスプリアンブル受信時の処理、ランダムアクセスレスポンスの送信等を実行する。
【００８２】
＜ユーザ装置２００＞
図１５は、ユーザ装置２００の機能構成の一例を示す図である。図１５に示されるように、ユーザ装置２００は、送信部２１０と、受信部２２０と、設定情報管理部２３０と、初期アクセス制御部２４０とを有する。図１５に示される機能構成は一例に過ぎない。本発明の実施の形態に係る動作を実行できるのであれば、機能区分及び機能部の名称はどのようなものでもよい。
【００８３】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。また、例えば、送信部２１０は、ＮＲ−ＰＲＡＣＨ、ＮＲ−ＰＵＳＣＨ等を基地局装置１００に送信する機能を有する。
【００８４】
設定情報管理部２３０は、受信部２２０により基地局装置１００又はユーザ装置２００から受信した各種の設定情報を格納する。また、設定情報管理部２３０は、予め設定される設定情報も格納する。設定情報の内容は、例えば、初期アクセスの送受信パラメータに係る情報等である。
【００８５】
初期アクセス制御部２４０は、実施例において説明したように、ユーザ装置２００から基地局装置１００に送信する初期アクセスに係るプリアンブル及びメッセージを生成する。また、初期アクセス制御部２４０は、初期アクセスに係るプリアンブルの送信電力を制御する。初期アクセス制御部２４０における信号送信に関する機能部を送信部２１０に含め、初期アクセス制御部２４０における信号受信に関する機能部を受信部２２０に含めてもよい。
【００８６】
（ハードウェア構成）
上述の本発明の実施の形態の説明に用いた機能構成図（図１４及び図１５）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００８７】
また、例えば、本発明の一実施の形態における基地局装置１００及びユーザ装置２００はいずれも、本発明の実施の形態に係る処理を行うコンピュータとして機能してもよい。図１６は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００８８】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００８９】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００９０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００９１】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１４に示した基地局装置１００の送信部１１０、受信部１２０、設定情報管理部１３０、初期アクセス設定部１４０は、記憶装置１００２に格納され、プロセッサ１００１で動作する制御プログラムによって実現されてもよい。また、例えば、図１５に示したユーザ装置２００の送信部２１０と、受信部２２０と、設定情報管理部２３０、初期アクセス制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９２】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００９３】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。上述の記憶媒体は、例えば、記憶装置１００２及び／又は補助記憶装置１００３を含むデータベース、サーバその他の適切な媒体であってもよい。
【００９４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００９５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９６】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００９７】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９８】
（実施の形態のまとめ）
以上、説明したように、本発明の実施の形態によれば、基地局装置からランダムアクセス手順の実行を指示されるユーザ装置であって、ランダムアクセスチャネル送信機会の候補のうち、使用可能なランダムアクセスチャネル送信機会を指定する情報を前記基地局装置から受信する受信部と、前記情報に基づいて、使用可能なランダムアクセスチャネル送信機会を特定する制御部と、特定された前記ランダムアクセスチャネル送信機会を使用して、ランダムアクセスプリアンブルを送信する送信部とを有するユーザ装置が提供される。
【００９９】
上記の構成により、ユーザ装置２００は、ＰＲＡＣＨマスクから特定されるＰＲＡＣＨ送信機会を使用して、非衝突型ランダムアクセス手順を実行することができる。すなわち、ＮＲにおけるランダムアクセス手順で使用されるＲＡＣＨリソースをユーザ装置に適切に通知することができる。
【０１００】
前記使用可能なランダムアクセスチャネル送信機会を指定する情報は、ある同期ブロックに関連付けられるランダムアクセスチャネル送信機会の時間領域における周期で、複数のランダムアクセスチャネル送信機会を指定するインデックスが付与されてもよい。当該構成により、ユーザ装置２００は、使用できるＳＳＢをできるだけ制限せずに、ＰＲＡＣＨマスクから特定されるＰＲＡＣＨ送信機会を使用して、非衝突型ランダムアクセス手順を実行することができる。
【０１０１】
前記複数のランダムアクセスチャネル送信機会は、すべての同期ブロックに関連付けられるランダムアクセスチャネル送信機会を含んでもよい。ユーザ装置２００は、すべてのＳＳＢに関連付けられるＰＲＡＣＨマスクから特定されるＰＲＡＣＨ送信機会を使用して、非衝突型ランダムアクセス手順を実行することができる。
【０１０２】
前記使用可能なランダムアクセスチャネル送信機会を指定する情報は、すべての同期ブロックそれぞれにおいて関連付けられるランダムアクセスチャネル送信機会に共通のインデックスが付与されてもよい。当該構成により、ユーザ装置２００は、すべてのＳＳＢに関連付けられるＰＲＡＣＨマスクから特定されるＰＲＡＣＨ送信機会を使用して、非衝突型ランダムアクセス手順を実行することができる。
【０１０３】
前記共通のインデックスを、所定の数で剰余した値で、インデックスが規定されてもよい。当該構成により、ユーザ装置２００は、少ない情報量に基づくＰＲＡＣＨマスクのインデックスから特定されるＰＲＡＣＨ送信機会を使用して、非衝突型ランダムアクセス手順を実行することができる。
【０１０４】
また、本発明の実施の形態によれば、ユーザ装置にランダムアクセス手順の実行を指示する基地局装置であって、ランダムアクセスチャネル送信機会の候補のうち、使用可能なランダムアクセスチャネル送信機会を指定する情報を前記ユーザ装置に送信する送信部と、前記情報に基づいて、使用可能なランダムアクセスチャネル送信機会を特定する処理部と、特定された前記ランダムアクセスチャネル送信機会を使用して、ランダムアクセスプリアンブルを受信する受信部とを有する基地局装置が提供される。
【０１０５】
上記の構成により、基地局装置１００は、ＰＲＡＣＨマスクから特定されるＰＲＡＣＨ送信機会を使用して、非衝突型ランダムアクセス手順をユーザ装置２００に実行させることができる。すなわち、ＮＲにおけるランダムアクセス手順で使用されるＲＡＣＨリソースをユーザ装置に適切に通知することができる。
【０１０６】
また、本発明の実施の形態によれば、基地局装置からランダムアクセス手順の実行を指示されるユーザ装置であって、同期ブロックに関連付けられる使用可能なランダムアクセスチャネル送信機会を指定する情報を前記基地局装置から受信する受信部と、前記情報に基づいて、使用可能なランダムアクセスチャネル送信機会を特定する制御部と、特定された前記ランダムアクセスチャネル送信機会を使用して、ランダムアクセスプリアンブルを送信する送信部とを有するユーザ装置が提供される。
【０１０７】
上記の構成により、ユーザ装置２００は、ＰＲＡＣＨマスクから特定されるＰＲＡＣＨ送信機会を使用して、非衝突型ランダムアクセス手順を実行することができる。すなわち、ＮＲにおけるランダムアクセス手順で使用されるＲＡＣＨリソースをユーザ装置に適切に通知することができる。
【０１０８】
前記使用可能なランダムアクセスチャネル送信機会は、ある同期ブロックに関連付けられるランダムアクセスチャネル送信機会の時間領域における周期ごとに、複数のランダムアクセスチャネル送信機会を含んでもよい。当該構成により、ユーザ装置２００は、使用できるＳＳＢをできるだけ制限せずに、ＰＲＡＣＨマスクから特定されるＰＲＡＣＨ送信機会を使用して、非衝突型ランダムアクセス手順を実行することができる。
【０１０９】
前記使用可能なランダムアクセスチャネル送信機会は、すべての同期ブロックそれぞれにおいて関連付けられるランダムアクセスチャネル送信機会に共通のインデックスが付与されてもよい。当該構成により、ユーザ装置２００は、すべてのＳＳＢに関連付けられるＰＲＡＣＨマスクから特定されるＰＲＡＣＨ送信機会を使用して、非衝突型ランダムアクセス手順を実行することができる。
【０１１０】
また、本発明の実施の形態によれば、ユーザ装置にランダムアクセス手順の実行を指示する基地局装置であって、同期ブロックに関連付けられる使用可能なランダムアクセスチャネル送信機会を指定する情報を前記ユーザ装置に送信する送信部と、前記情報に基づいて、使用可能なランダムアクセスチャネル送信機会を特定する処理部と、特定された前記ランダムアクセスチャネル送信機会を使用して、ランダムアクセスプリアンブルを受信する受信部とを有する基地局装置が提供される。
【０１１１】
上記の構成により、基地局装置１００は、ＰＲＡＣＨマスクから特定されるＰＲＡＣＨ送信機会を使用して、非衝突型ランダムアクセス手順をユーザ装置２００に実行させることができる。すなわち、ＮＲにおけるランダムアクセス手順で使用されるＲＡＣＨリソースをユーザ装置に適切に通知することができる。
【０１１２】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１３】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１１４】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１１５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１６】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【０１１７】
本明細書で説明した各態様／実施形態は単独で用いてもよいし、組み合わせて用いてもよいし、実行に伴って切り替えて用いてもよい。
【０１１８】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１９】
基地局装置１００は、当業者によって、ＮＢ（NodeB）、ｅＮＢ（evolved NodeB）、ｇＮＢ、ベースステーション（Base Station）、又はいくつかの他の適切な用語で呼ばれる場合もある。
【０１２０】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【０１２１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２２】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【０１２３】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【０１２４】
なお、本発明の実施の形態において、初期アクセス制御部２４０は、制御部の一例である。初期アクセス設定部１４０は、設定部の一例である。ＳＳＢは、同期ブロックの一例である。ＰＲＡＣＨ送信機会は、ランダムアクセスチャネル送信機会の一例である。
【０１２５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２６】
本国際特許出願は２０１８年３月２日に出願した日本国特許出願第２０１８−０３８０９５号に基づきその優先権を主張するものであり、日本国特許出願第２０１８−０３８０９５号の全内容を本願に援用する。
【符号の説明】
【０１２７】
１００      基地局装置
１１０      送信部
１２０      受信部
１３０      設定情報管理部
１４０      初期アクセス設定部
２００      ユーザ装置
２１０      送信部
２２０      受信部
２３０      設定情報管理部
２４０      初期アクセス制御部
１００１    プロセッサ
１００２    記憶装置
１００３    補助記憶装置
１００４    通信装置
１００５    入力装置
１００６    出力装置
【図１】
2019167842.tif 000003
【図２】
2019167842.tif 000004
【図３】
2019167842.tif 000005
【図４】
2019167842.tif 000006
【図５】
2019167842.tif 000007
【図６】
2019167842.tif 000008
【図７】
2019167842.tif 000009
【図８】
2019167842.tif 000010
【図９】
2019167842.tif 000011
【図１０】
2019167842.tif 000012
【図１１】
2019167842.tif 000013
【図１２】
2019167842.tif 000014
【図１３】
2019167842.tif 000015
【図１４】
2019167842.tif 000016
【図１５】
2019167842.tif 000017
【図１６】
2019167842.tif 000018
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
基地局装置からランダムアクセス手順の実行を指示される端末であって、
同期ブロックに関連付けられる使用可能なランダムアクセスチャネル送信機会を指定する情報を前記基地局装置から受信する受信部と、
前記情報に基づいて、使用可能なランダムアクセスチャネル送信機会を特定する制御部と、
特定された前記ランダムアクセスチャネル送信機会を使用して、ランダムアクセスプリアンブルを送信する送信部とを有する端末。
【請求項２】
前記同期ブロックに関連付けられる使用可能なランダムアクセスチャネル送信機会の周期は、ランダムアクセスチャネル送信機会の周期と、ランダムアクセスチャネル送信機会に関連付けられる同期ブロックの数と、同期ブロックの数と、から算出される請求項１記載の端末。
【請求項３】
前記使用可能なランダムアクセスチャネル送信機会は、すべての同期ブロックそれぞれにおいて関連付けられるランダムアクセスチャネル送信機会に共通のインデックスが付与される請求項１記載の端末。
【請求項４】
端末にランダムアクセス手順の実行を指示する基地局装置であって、
同期ブロックに関連付けられる使用可能なランダムアクセスチャネル送信機会を指定する情報を前記端末に送信する送信部と、
前記情報に基づいて、使用可能なランダムアクセスチャネル送信機会を特定する処理部と、
特定された前記ランダムアクセスチャネル送信機会を使用して、ランダムアクセスプリアンブルを受信する受信部とを有する基地局装置。
【請求項５】
基地局装置からランダムアクセス手順の実行を指示される端末の無線通信方法であって、
同期ブロックに関連付けられる使用可能なランダムアクセスチャネル送信機会を指定する情報を前記基地局装置から受信するステップと、
前記情報に基づいて、使用可能なランダムアクセスチャネル送信機会を選択するステップと、
選択された使用可能なランダムアクセスチャネル送信機会を使用して、ランダムアクセスプリアンブルを送信するステップとを有する無線通信方法。
【国際調査報告】
2019167842.tif 000019
2019167842.tif 000020
2019167842.tif 000021